【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
マルチビュービデオデータのトラックを解析することと、ここにおいて、前記トラックは少なくとも１つの深度ビューを含み、
前記深度ビューと関連付けられる空間分解能を決定するために情報を解析することとを備え、前記空間分解能を決定することが、３次元ビデオコード化構成ボックスと、サンプルエントリーから直接との少なくとも１つからの、３次元ビデオコード化深度分解能ボックスから前記空間分解能を解析することを備える、方法。
【請求項２】
ビデオデータを記憶するように構成されるメモリと、
マルチビュービデオデータのトラックを解析し、ここにおいて、前記トラックは少なくとも１つの深度ビューを含む１つ以上のビューを含む、
前記深度ビューと関連付けられる空間分解能を決定するために情報を解析する
ように構成される１つ以上のプロセッサとを備え、前記空間分解能を決定することが、３次元ビデオコード化構成ボックスと、サンプルエントリーから直接との少なくとも１つからの、３次元ビデオコード化深度分解能ボックスから前記空間分解能を解析することを備える、装置。
【請求項３】
前記３次元ビデオコード化構成ボックスからの３次元ビデオコード化デコーダ構成記録を解析するように更に構成され、前記３次元ビデオコード化構成ボックスが、エクストラクタを許容するタイプ「３ｖｃ１」のサンプルエントリーと、エクストラクタを許容しないサンプルエントリータイプ「３ｖｃ２」との少なくとも１つに含まれる、請求項２に記載の装置。
【請求項４】
前記トラック中の前記１つ以上のビューの少なくとも１つを復号するために参照ビューのテクスチャビューが必要とされるか、又は深度ビューが必要とされるかということと、前記トラックが深度ビューのみを含むか、又はテクスチャビューと深度ビューとを含むかということと、前記トラックに含まれる各ビューに対して、前記ビューがテクスチャビューであるか、又は深度ビューであるかということとの少なくとも１つを決定するために、サンプルエントリーとマルチビューグループエントリーの少なくとも１つからのビュー識別子ボックスを解析するように更に構成され、前記サンプルエントリーと前記マルチビューグループエントリーの前記少なくとも１つが前記トラックと関連付けられる、請求項２に記載の装置。
【請求項５】
前記マルチビュービデオデータが、マルチビュービデオデータの第１のセットであり、前記トラックが更に、少なくとも１つのテクスチャビューを含み、
マルチビュービデオデータの前記第１のセットに基づいて、マルチビュービデオデータの第２のセットを解析するように更に構成され、情報を解析することが、マルチビュービデオデータの前記第２のセットを復号するためにマルチビュービデオデータの前記第１のセットの前記第１のテクスチャビューが必要とされるか、前記第１の深度ビューが必要とされるか、又は前記第１のテクスチャビューと前記第１の深度ビューの両方が必要とされるかを決定するために、情報を解析することを備える、請求項２に記載の装置。
【請求項６】
前記ビューの１つ以上と関連付けられる３次元スケーラビリティ情報補足強化情報（ＳＥＩ）メッセージを決定するために、ＳＥＩメッセージボックスを解析し、および／または、
前記深度ビューの幅と高さとを決定するために、３次元ビデオコード化（３ＶＣ）デコーダ構成記録を解析するように更に構成される、請求項２に記載の装置。
【請求項７】
前記トラックが第１のトラックであり、
マルチビュービデオデータの第２のトラックを解析するように更に構成され、前記第２のトラックが前記深度ビューに対応するテクスチャビューを含み、前記テクスチャビューが前記第１のトラックに含まれない、請求項２に記載の装置。
【請求項８】
ビデオデータを処理する方法であって、
マルチビュービデオデータのトラックを合成することと、ここにおいて、前記トラックは１つ以上のビューを含む、
深度ビューと関連付けられる空間分解能を示すために情報を合成することとを備え、前記空間分解能を示すことが、３次元ビデオコード化構成ボックスと、サンプルエントリーにおいて直接との少なくとも１つにおける、３次元ビデオコード化深度分解能ボックスにおいて前記空間分解能を合成することを備える、方法。
【請求項９】
ビデオデータを記憶するように構成されるメモリと、
マルチビュービデオデータのトラックを合成し、ここにおいて、前記トラックは少なくとも１つの深度ビューを含む１つ以上のビューを含む、
前記深度ビューと関連付けられる空間分解能を示すために情報を合成する
ように構成される１つ以上のプロセッサとを備え、前記空間分解能を示すことが、３次元ビデオコード化構成ボックスと、サンプルエントリーにおいて直接との少なくとも１つにおける、３次元ビデオコード化深度分解能ボックスにおいて前記空間分解能を合成することを備える、装置。
【請求項１０】
前記３次元ビデオコード化構成ボックスへと３次元ビデオコード化デコーダ構成記録を合成するように更に構成され、前記３次元ビデオコード化構成ボックスが、エクストラクタを許容するタイプ「３ｖｃ１」のサンプルエントリーと、エクストラクタを許容しないサンプルエントリータイプ「３ｖｃ２」との少なくとも１つに含まれる、請求項９に記載の装置。
【請求項１１】
前記トラック中の前記１つ以上のビューの少なくとも１つを復号するために参照ビューのテクスチャビューが必要とされるか、又は深度ビューが必要とされるかということと、前記トラックが深度ビューのみを含むか、又はテクスチャビューと深度ビューとを含むかということと、前記トラックに含まれる各ビューに対して、前記ビューがテクスチャビューであるか、又は深度ビューであるかということとの少なくとも１つを示すために、サンプルエントリーとマルチビューグループエントリーの少なくとも１つからのビュー識別子ボックスを合成するように更に構成され、前記サンプルエントリーと前記マルチビューグループエントリーの前記少なくとも１つが前記トラックと関連付けられる、請求項９に記載の装置。
【請求項１２】
前記マルチビュービデオデータが、マルチビュービデオデータの第１のセットであり、前記トラックが更に、少なくとも１つのテクスチャビューを含み、
マルチビュービデオデータの前記第１のセットに基づいて、マルチビュービデオデータの第２のセットを合成するように更に構成され、情報を合成することが更に、マルチビュービデオデータの前記第２のセットを復号するためにマルチビュービデオデータの前記第１のセットの前記第１のテクスチャビューが必要とされるか、前記第１の深度ビューが必要とされるか、又は前記第１のテクスチャビューと前記第１の深度ビューの両方が必要とされるかを示すために、情報を合成することを備える、請求項９に記載の装置。
【請求項１３】
前記ビューの１つ以上と関連付けられる３次元スケーラビリティ情報補足強化情報（ＳＥＩ）メッセージを示すために、ＳＥＩメッセージボックスを合成し、および／または、
前記深度ビューの幅と高さとを示すために、３次元ビデオコード化（３ＶＣ）デコーダ構成記録を合成するように更に構成される、請求項９に記載の装置。
【請求項１４】
前記トラックが第１のトラックであり、
マルチビュービデオデータの第２のトラックを合成するように更に構成され、前記第２のトラックが前記深度ビューに対応するテクスチャビューを含み、前記テクスチャビューが前記第１のトラックに含まれない、請求項９に記載の装置。
【請求項１５】
命令を記憶したコンピュータ可読記憶媒体であって、前記命令が、実行されると、ビデオコード化装置の１つ以上のプロセッサに、請求項１または請求項８に記載の方法を行わせる、コンピュータ可読記憶媒体。
【手続補正２】
【補正対象書類名】明細書
【補正対象項目名】０２５９
【補正方法】変更
【補正の内容】
【０２５９】
[0272]様々な例が説明されてきた。これら例及び他の例は、以下の特許請求の範囲内にある。
以下に、本願出願の当初の特許請求の範囲に記載された発明を付記する。
［Ｃ１］
ビデオデータを処理する方法であって、
マルチビュービデオデータのトラックを解析することと、ここにおいて、前記トラックは少なくとも１つの深度ビューを含む、
前記深度ビューと関連付けられる空間分解能を決定するために情報を解析することとを備え、前記空間分解能を復号することが、前記深度ビューのシーケンスパラメータセットの解析を必要としない、方法。
［Ｃ２］
情報を解析することが更に、３ＶＣ構成ボックスと、サンプルエントリーから直接との少なくとも１つからの、３ＶＣ深度分解能ボックスから前記空間分解能を解析することを備える、Ｃ１に記載の方法。
［Ｃ３］
前記３ＶＣ構成ボックスからの３ＶＣデコーダ構成記録を解析することを更に備え、前記３ＶＣ構成ボックスが、エクストラクタを許容するタイプ「３ｖｃ１」のサンプルエントリーと、エクストラクタを許容しないサンプルエントリータイプ「３ｖｃ２」との少なくとも１つに含まれる、Ｃ１に記載の方法。
［Ｃ４］
前記トラック中の前記１つ以上のビューの少なくとも１つを復号するために参照ビューのテクスチャビューが必要とされるか、又は深度ビューが必要とされるかということと、前記トラックが深度ビューのみを含むか、又はテクスチャビューと深度ビューとを含むかということと、前記トラックに含まれる各ビューに対して、前記ビューがテクスチャビューであるか、又は深度ビューであるかということとの少なくとも１つを決定するために、サンプルエントリーとマルチビューグループエントリーの少なくとも１つからのビュー識別子ボックスを解析することを更に備え、前記サンプルエントリーと前記マルチビューグループエントリーの前記少なくとも１つが前記トラックと関連付けられる、Ｃ１に記載の方法。
［Ｃ５］
前記マルチビュービデオデータが、マルチビュービデオデータの第１のセットであり、前記トラックが更に、少なくとも１つのテクスチャビューを含み、
マルチビュービデオデータの前記第１のセットに基づいて、マルチビュービデオデータの第２のセットを解析することを更に備え、情報を解析することが、マルチビュービデオデータの前記第２のセットを復号するためにマルチビュービデオデータの前記第１のセットの前記第１のテクスチャビューが必要とされるか、前記第１の深度ビューが必要とされるか、又は前記第１のテクスチャビューと前記第１の深度ビューの両方が必要とされるかを決定するために、情報を解析することを備える、Ｃ１に記載の方法。
［Ｃ６］
前記ビューの１つ以上と関連付けられる３次元スケーラビリティ情報補足強化情報（ＳＥＩ）メッセージを決定するために、ＳＥＩメッセージボックスを解析することを更に備える、Ｃ１に記載の方法。
［Ｃ７］
前記深度ビューの幅と高さとを決定するために、３次元ビデオコード化（３ＶＣ）デコーダ構成記録を解析することを更に備える、Ｃ１に記載の方法。
［Ｃ８］
前記トラックが第１のトラックであり、
マルチビュービデオデータの第２のトラックを解析することを更に備え、前記第２のトラックが前記深度ビューに対応するテクスチャビューを含み、前記テクスチャビューが前記第１のトラックに含まれない、Ｃ１に記載の方法。
［Ｃ９］
ビデオデータを記憶するように構成されるメモリと、
マルチビュービデオデータのトラックを解析し、ここにおいて、前記トラックは少なくとも１つの深度ビューを含む１つ以上のビューを含む、
前記深度ビューと関連付けられる空間分解能を決定するために情報を解析する
ように構成される１つ以上のプロセッサとを備え、前記空間分解能を復号することが、前記深度ビューのシーケンスパラメータセットの解析を必要としない、装置。
［Ｃ１０］
情報を解析するが更に、３ＶＣ構成ボックスと、サンプルエントリーから直接との少なくとも１つからの、３ＶＣ深度分解能ボックスから前記空間分解能を解析することを備える、Ｃ９に記載の装置。
［Ｃ１１］
前記３ＶＣ構成ボックスからの３ＶＣデコーダ構成記録を解析するように更に構成され、前記３ＶＣ構成ボックスが、エクストラクタを許容するタイプ「３ｖｃ１」のサンプルエントリーと、エクストラクタを許容しないサンプルエントリータイプ「３ｖｃ２」との少なくとも１つに含まれる、Ｃ９に記載の装置。
［Ｃ１２］
前記トラック中の前記１つ以上のビューの少なくとも１つを復号するために参照ビューのテクスチャビューが必要とされるか、又は深度ビューが必要とされるかということと、前記トラックが深度ビューのみを含むか、又はテクスチャビューと深度ビューとを含むかということと、前記トラックに含まれる各ビューに対して、前記ビューがテクスチャビューであるか、又は深度ビューであるかということとの少なくとも１つを決定するために、サンプルエントリーとマルチビューグループエントリーの少なくとも１つからのビュー識別子ボックスを解析するように更に構成され、前記サンプルエントリーと前記マルチビューグループエントリーの前記少なくとも１つが前記トラックと関連付けられる、Ｃ９に記載の装置。
［Ｃ１３］
前記マルチビュービデオデータが、マルチビュービデオデータの第１のセットであり、前記トラックが更に、少なくとも１つのテクスチャビューを含み、
マルチビュービデオデータの前記第１のセットに基づいて、マルチビュービデオデータの第２のセットを解析するように更に構成され、情報を解析することが、マルチビュービデオデータの前記第２のセットを復号するためにマルチビュービデオデータの前記第１のセットの前記第１のテクスチャビューが必要とされるか、前記第１の深度ビューが必要とされるか、又は前記第１のテクスチャビューと前記第１の深度ビューの両方が必要とされるかを決定するために、情報を解析することを備える、Ｃ９に記載の装置。
［Ｃ１４］
前記ビューの１つ以上と関連付けられる３次元スケーラビリティ情報補足強化情報（ＳＥＩ）メッセージを決定するために、ＳＥＩメッセージボックスを解析するように更に構成される、Ｃ９に記載の装置。
［Ｃ１５］
前記深度ビューの幅と高さとを決定するために、３次元ビデオコード化（３ＶＣ）デコーダ構成記録を解析するように更に構成される、Ｃ９に記載の装置。
［Ｃ１６］
前記トラックが第１のトラックであり、
マルチビュービデオデータの第２のトラックを解析するように更に構成され、前記第２のトラックが前記深度ビューに対応するテクスチャビューを含み、前記テクスチャビューが前記第１のトラックに含まれない、Ｃ９に記載の装置。
［Ｃ１７］
命令を記憶した非一時的コンピュータ可読記憶媒体であって、前記命令が、実行されると、ビデオコード化装置の１つ以上のプロセッサに、
マルチビュービデオデータのトラックを解析させ、ここにおいて、前記トラックは少なくとも１つの深度ビューを含む１つ以上のビューを含む、
前記深度ビューと関連付けられる空間分解能を決定するために情報を解析させ、前記空間分解能を復号することが、前記深度ビューのシーケンスパラメータセットの解析を必要としない、非一時的コンピュータ可読記憶媒体。
［Ｃ１８］
情報を解析するが更に、３ＶＣ構成ボックスと、サンプルエントリーから直接との少なくとも１つからの、３ＶＣ深度分解能ボックスから前記空間分解能を解析するを備える、Ｃ１７に記載の非一時的コンピュータ可読記憶媒体。
［Ｃ１９］
記憶された前記命令が更に、前記ビデオコード化装置の前記１つ以上のプロセッサに、
前記３ＶＣ構成ボックスからの３ＶＣデコーダ構成記録を解析させ、前記３ＶＣ構成ボックスが、エクストラクタを許容するタイプ「３ｖｃ１」のサンプルエントリーと、エクストラクタを許容しないサンプルエントリータイプ「３ｖｃ２」との少なくとも１つに含まれる、Ｃ１７に記載の非一時的コンピュータ可読記憶媒体。
［Ｃ２０］
コード化されたビデオコンテンツを含むビデオファイルを解析するように構成される装置であって、
マルチビュービデオデータのトラックを解析するための手段と、ここにおいて、前記トラックは少なくとも１つの深度ビューを含む１つ以上のビューを含む、
前記深度ビューと関連付けられる空間分解能を決定するために情報を解析するための手段とを備え、前記空間分解能を復号することが、前記深度ビューのシーケンスパラメータセットの解析を必要としない、装置。
［Ｃ２１］
情報を解析するための手段が更に、３ＶＣ構成ボックスと、サンプルエントリーから直接との少なくとも１つからの、３ＶＣ深度分解能ボックスから前記空間分解能を解析するための手段を備える、Ｃ２０に記載の装置。
［Ｃ２２］
前記３ＶＣ構成ボックスからの３ＶＣデコーダ構成記録を解析するための手段を更に備え、前記３ＶＣ構成ボックスが、エクストラクタを許容するタイプ「３ｖｃ１」のサンプルエントリーと、エクストラクタを許容しないサンプルエントリータイプ「３ｖｃ２」との少なくとも１つに含まれる、Ｃ２０に記載の装置。
［Ｃ２３］
ビデオデータを処理する方法であって、
マルチビュービデオデータのトラックを合成することと、ここにおいて、前記トラックは１つ以上のビューを含む、
深度ビューと関連付けられる空間分解能を示すために情報を合成することとを備え、前記空間分解能を復号することが、前記深度ビューのシーケンスパラメータセットの解析を必要としない、方法。
［Ｃ２４］
情報を合成することが更に、３ＶＣ構成ボックスと、サンプルエントリーにおいて直接との少なくとも１つにおける、３ＶＣ深度分解能ボックスにおいて前記空間分解能を合成することを備える、Ｃ２３に記載の方法。
［Ｃ２５］
前記３ＶＣ構成ボックスへと３ＶＣデコーダ構成記録を合成することを更に備え、前記３ＶＣ構成ボックスが、エクストラクタを許容するタイプ「３ｖｃ１」のサンプルエントリーと、エクストラクタを許容しないサンプルエントリータイプ「３ｖｃ２」との少なくとも１つに含まれる、Ｃ２３に記載の方法。
［Ｃ２６］
前記トラック中の前記１つ以上のビューの少なくとも１つを復号するために参照ビューのテクスチャビューが必要とされるか、又は深度ビューが必要とされるかということと、前記トラックが深度ビューのみを含むか、又はテクスチャビューと深度ビューとを含むかということと、前記トラックに含まれる各ビューに対して、前記ビューがテクスチャビューであるか、又は深度ビューであるかということとの少なくとも１つを示すために、サンプルエントリーとマルチビューグループエントリーの少なくとも１つからのビュー識別子ボックスを合成することを更に備え、前記サンプルエントリーと前記マルチビューグループエントリーの前記少なくとも１つが前記トラックと関連付けられる、Ｃ２３に記載の方法。
［Ｃ２７］
前記マルチビュービデオデータが、マルチビュービデオデータの第１のセットであり、前記トラックが更に、少なくとも１つのテクスチャビューを含み、
マルチビュービデオデータの前記第１のセットに基づいて、マルチビュービデオデータの第２のセットを合成することを更に備え、情報を合成することが更に、マルチビュービデオデータの前記第２のセットを復号するためにマルチビュービデオデータの前記第１のセットの前記第１のテクスチャビューが必要とされるか、前記第１の深度ビューが必要とされるか、又は前記第１のテクスチャビューと前記第１の深度ビューの両方が必要とされるかを示すために、情報を合成することを備える、Ｃ２３に記載の方法。
［Ｃ２８］
前記ビューの１つ以上と関連付けられる３次元スケーラビリティ情報補足強化情報（ＳＥＩ）メッセージを示すために、ＳＥＩメッセージボックスを合成することを更に備える、Ｃ２３に記載の方法。
［Ｃ２９］
前記深度ビューの幅と高さとを示すために、３次元ビデオコード化（３ＶＣ）デコーダ構成記録を合成することを更に備える、Ｃ２３に記載の方法。
［Ｃ３０］
前記トラックが第１のトラックであり、
マルチビュービデオデータの第２のトラックを合成することを更に備え、前記第２のトラックが前記深度ビューに対応するテクスチャビューを含み、前記テクスチャビューが前記第１のトラックに含まれない、Ｃ２３に記載の方法。
［Ｃ３１］
ビデオデータを記憶するように構成されるメモリと、
マルチビュービデオデータのトラックを合成し、ここにおいて、前記トラックは少なくとも１つの深度ビューを含む１つ以上のビューを含む、
前記深度ビューと関連付けられる空間分解能を示すために情報を合成する
ように構成される１つ以上のプロセッサとを備え、前記空間分解能を復号することが、前記深度ビューのシーケンスパラメータセットの解析を必要としない、装置。
［Ｃ３２］
情報を解析するが更に、３ＶＣ構成ボックスと、サンプルエントリーにおいて直接との少なくとも１つにおける、３ＶＣ深度分解能ボックスにおいて前記空間分解能を合成するを備える、Ｃ３１に記載の装置。
［Ｃ３３］
前記３ＶＣ構成ボックスへと３ＶＣデコーダ構成記録を合成するように更に構成され、前記３ＶＣ構成ボックスが、エクストラクタを許容するタイプ「３ｖｃ１」のサンプルエントリーと、エクストラクタを許容しないサンプルエントリータイプ「３ｖｃ２」との少なくとも１つに含まれる、Ｃ３１に記載の装置。
［Ｃ３４］
前記トラック中の前記１つ以上のビューの少なくとも１つを復号するために参照ビューのテクスチャビューが必要とされるか、又は深度ビューが必要とされるかということと、前記トラックが深度ビューのみを含むか、又はテクスチャビューと深度ビューとを含むかということと、前記トラックに含まれる各ビューに対して、前記ビューがテクスチャビューであるか、又は深度ビューであるかということとの少なくとも１つを示すために、サンプルエントリーとマルチビューグループエントリーの少なくとも１つからのビュー識別子ボックスを合成するように更に構成され、前記サンプルエントリーと前記マルチビューグループエントリーの前記少なくとも１つが前記トラックと関連付けられる、Ｃ３１に記載の装置。
［Ｃ３５］
前記マルチビュービデオデータが、マルチビュービデオデータの第１のセットであり、前記トラックが更に、少なくとも１つのテクスチャビューを含み、
マルチビュービデオデータの前記第１のセットに基づいて、マルチビュービデオデータの第２のセットを合成するように更に構成され、情報を合成することが更に、マルチビュービデオデータの前記第２のセットを復号するためにマルチビュービデオデータの前記第１のセットの前記第１のテクスチャビューが必要とされるか、前記第１の深度ビューが必要とされるか、又は前記第１のテクスチャビューと前記第１の深度ビューの両方が必要とされるかを示すために、情報を合成することを備える、Ｃ３１に記載の装置。
［Ｃ３６］
前記ビューの１つ以上と関連付けられる３次元スケーラビリティ情報補足強化情報（ＳＥＩ）メッセージを示すために、ＳＥＩメッセージボックスを合成するように更に構成される、Ｃ３１に記載の装置。
［Ｃ３７］
前記深度ビューの幅と高さとを示すために、３次元ビデオコード化（３ＶＣ）デコーダ構成記録を合成するように更に構成される、Ｃ３１に記載の装置。
［Ｃ３８］
前記トラックが第１のトラックであり、
マルチビュービデオデータの第２のトラックを合成するように更に構成され、前記第２のトラックが前記深度ビューに対応するテクスチャビューを含み、前記テクスチャビューが前記第１のトラックに含まれない、Ｃ３１に記載の装置。
［Ｃ３９］
命令を記憶した非一時的コンピュータ可読記憶媒体であって、前記命令が、実行されると、ビデオコード化装置の１つ以上のプロセッサに、
マルチビュービデオデータのトラックを合成させ、ここにおいて、前記トラックは少なくとも１つの深度ビューを含む１つ以上のビューを含む、
深度ビューと関連付けられる空間分解能を示すために情報を合成させ、前記空間分解能を復号することが、前記深度ビューのシーケンスパラメータセットの解析を必要としない、非一時的コンピュータ可読記憶媒体。
［Ｃ４０］
情報を合成するが更に、３ＶＣ構成ボックスと、サンプルエントリーにおいて直接との少なくとも１つにおける、３ＶＣ深度分解能ボックスにおいて前記空間分解能を合成するを備える、Ｃ３９に記載の非一時的コンピュータ可読記憶媒体。
［Ｃ４１］
記憶された前記命令が更に、前記ビデオコード化装置の前記１つ以上のプロセッサに、
前記３ＶＣ構成ボックスへと３ＶＣデコーダ構成記録を合成させ、前記３ＶＣ構成ボックスが、エクストラクタを許容するタイプ「３ｖｃ１」のサンプルエントリーと、エクストラクタを許容しないサンプルエントリータイプ「３ｖｃ２」との少なくとも１つに含まれる、Ｃ３９に記載の非一時的コンピュータ可読記憶媒体。
［Ｃ４２］
コード化されたビデオコンテンツを含むビデオファイルを解析するように構成される装置であって、
マルチビュービデオデータのトラックを合成するための手段と、ここにおいて、前記トラックは少なくとも１つの深度ビューを含む１つ以上のビューを含む、
前記深度ビューと関連付けられる空間分解能を示すために情報を合成するための手段とを備え、前記空間分解能を復号することが、前記深度ビューのシーケンスパラメータセットの解析を必要としない、装置。
［Ｃ４３］
情報を合成するための手段が更に、３ＶＣ構成ボックスと、サンプルエントリーにおいて直接との少なくとも１つにおける、３ＶＣ深度分解能ボックスにおいて前記空間分解能を合成するための手段を備える、Ｃ４２に記載の装置。
［Ｃ４４］
前記３ＶＣ構成ボックスへと３ＶＣデコーダ構成記録を合成するための手段を更に備え、前記３ＶＣ構成ボックスが、エクストラクタを許容するタイプ「３ｖｃ１」のサンプルエントリーと、エクストラクタを許容しないサンプルエントリータイプ「３ｖｃ２」との少なくとも１つに含まれる、Ｃ４２に記載の装置。